【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口および当該リブよりも小さい突起部が前記方向に沿って形成されていることを特徴とする記録装置。
【請求項２】
前記記録ヘッドから吐出され前記記録材から外れたインク滴が捨てられる穴が前記プラテンに部に設けられており、前記所定のリブは前記穴に隣接しており、且つ前記突起部は前記所定のリブの上で前記吸引口よりも隣接する前記穴に近い側に形成されていることを特徴とする請求項１に記載の記録装置。
【請求項３】
前記穴を吸引する吸引手段がさらに設けられていることを特徴とする請求項２記載の記録装置。
【請求項４】
記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口および溝部が形成されていることを特徴とする記録装置。
【請求項５】
前記記録ヘッドから吐出され前記記録材から外れたインク滴が捨てられる穴が前記プラテンに部に設けられており、前記所定のリブは前記穴に隣接しており、且つ前記溝部は前記所定のリブの上で前記吸引口に空気を導入するために設けられていることを特徴とする請求項４に記載の記録装置。
【請求項６】
前記記録ヘッドから吐出され前記記録材から外れたインク滴が捨てられる穴が前記プラテンに部に設けられており、前記所定のリブは前記穴に隣接しており、且つ前記溝部は前記所定のリブの上で前記吸引口から離れて前記溝部よりも隣接する前記穴に近い側に前記方向に沿って形成されていることを特徴とする請求項４に記載の記録装置。
【請求項７】
前記穴を吸引する吸引手段がさらに設けられていることを特徴とする請求項５または６に記載の記録装置。
【請求項８】
記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口が設けられており、前記方向と直交する方向において前記吸引口の中心は前記所定のリブの中心からずれていることを特徴とする記録装置。
【請求項９】
前記記録ヘッドから吐出され前記記録材から外れたインク滴が捨てられる穴が前記プラテンに部に設けられており、前記所定のリブは前記穴に隣接しており、且つ前記吸引口は前記所定のリブの中心よりも前記穴から遠い側に形成されていることを特徴とする請求項８に記載の記録装置。
【手続補正２】
【補正対象書類名】明細書
【補正対象項目名】００２０
【補正方法】変更
【補正の内容】
【００２０】
本発明の記録装置は、記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口および当該リブよりも小さい突起部が前記方向に沿って形成されていることを特徴とする。
【手続補正３】
【補正対象書類名】明細書
【補正対象項目名】００２１
【補正方法】変更
【補正の内容】
【００２１】
この場合、前記記録ヘッドから吐出され前記記録材から外れたインク滴が捨てられる穴が前記プラテンに部に設けられており、前記所定のリブは前記穴に隣接しており、且つ前記突起部は前記所定のリブの上で前記吸引口よりも隣接する前記穴に近い側に形成されていることとしてもよい。
【手続補正４】
【補正対象書類名】明細書
【補正対象項目名】００２２
【補正方法】変更
【補正の内容】
【００２２】
また、前記穴を吸引する吸引手段がさらに設けられていることとしてもよい。
【手続補正５】
【補正対象書類名】明細書
【補正対象項目名】００２３
【補正方法】変更
【補正の内容】
【００２３】
本発明の他の形態による記録装置は、記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口および溝部が形成されていることを特徴とする。
【手続補正６】
【補正対象書類名】明細書
【補正対象項目名】００２４
【補正方法】変更
【補正の内容】
【００２４】
この場合、前記記録ヘッドから吐出され前記記録材から外れたインク滴が捨てられる穴が前記プラテンに部に設けられており、前記所定のリブは前記穴に隣接しており、且つ前記溝部は前記所定のリブの上で前記吸引口に空気を導入するために設けられていることとしてもよい。
【手続補正７】
【補正対象書類名】明細書
【補正対象項目名】００２５
【補正方法】変更
【補正の内容】
【００２５】
また、前記記録ヘッドから吐出され前記記録材から外れたインク滴が捨てられる穴が前記プラテンに部に設けられており、前記所定のリブは前記穴に隣接しており、且つ前記溝部は前記所定のリブの上で前記吸引口から離れて前記溝部よりも隣接する前記穴に近い側に前記方向に沿って形成されていることとしてもよい。
【手続補正８】
【補正対象書類名】明細書
【補正対象項目名】００２６
【補正方法】変更
【補正の内容】
【００２６】
また、前記穴を吸引する吸引手段がさらに設けられていることとしてもよい。
【手続補正９】
【補正対象書類名】明細書
【補正対象項目名】００２７
【補正方法】変更
【補正の内容】
【００２７】
本発明のさらに他の形態による記録装置は、記録材にインク滴を吐出することによって記録を行うインクジェット方式の記録装置において、
記録ヘッドと、前記記録ヘッドと対向する位置に設けられ搬送される前記記録材を支持するプラテン部とを有し、前記プラテン部には複数のリブが前記記録材が搬送される方向と交差する方向に間隔をもって形成され、且つ、前記複数のリブのうち少なくとも１つの所定のリブの上に前記記録材を吸引する吸引口が設けられており、前記方向と直交する方向において前記吸引口の中心は前記所定のリブの中心からずれていることを特徴とする。
【手続補正１０】
【補正対象書類名】明細書
【補正対象項目名】００２８
【補正方法】変更
【補正の内容】
【００２８】
この場合、前記記録ヘッドから吐出され前記記録材から外れたインク滴が捨てられる穴が前記プラテンに部に設けられており、前記所定のリブは前記穴に隣接しており、且つ前記吸引口は前記所定のリブの中心よりも前記穴から遠い側に形成されていることとしてもよい。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】